(57)【特許請求の範囲】
【請求項１】
第１端と反対側の第２端とを有する巻取ボックスの内部に、コイルスプリングを内蔵する巻取軸が、両端の支持部材を軸受部材に支持させて回転自在に収容され、該巻取軸にスクリーンの一端が連結され、該スクリーンを引き出したときの前記巻取軸の回転で前記コイルスプリングが捻られ、該コイルスプリングの捻り復元力により前記巻取軸が回転してスクリーンが巻き取られるように構成されたスクリーン巻取装置において、
前記巻取軸の内部には、前記コイルスプリングと、前記スクリーンを巻き取る際の該巻取軸の回転速度を制限するオイルダンパーとが配設され、
前記コイルスプリングの一端は、前記巻取ボックスの第１端側の軸受部材に対し、巻取軸の第１端側の支持部材の孔を貫通させたスプリング軸を介して、上記支持部材の下端部近くで固定的に連結され、内部にスプリング軸を貫通させることなく他端がスプリング受けを介して前記巻取軸に固定的に連結され、
前記オイルダンパーは、粘性流体を用いたダンパー機構の介在によりスクリーン巻取時の相互回転が制限される第１ダンパー部材と第２ダンパー部材とを有し、第１ダンパー部材が前記巻取ボックスの第２端側に固定的に連結され、第２ダンパー部材が前記巻取軸に固定的に連結されている、
ことを特徴とするスクリーン巻取装置。
【発明の詳細な説明】
【技術分野】
【０００１】
本発明は、防虫、遮光、断熱、目隠し等のための巻取式スクリーン装置におけるスクリーン巻取装置に関するものである。
【背景技術】
【０００２】
巻取式スクリーン装置は、一般に、図１に防虫網戸を代表例として示したように、巻取軸１６が縦向きに内蔵された巻取ボックス１２と、該巻取ボックス１２の上端及び下端から水平に延びる上側及び下側のガイドレール１３ａ，１３ｂと、該上側及び下側のガイドレール１３ａ，１３ｂの先端部間に取り付けられた受枠１４とを有していて、前記巻取軸１６にスクリーン（ネット）１５の一端が連結され、該スクリーン１５の先端にはスライドバー１７が取り付けられ、該スライドバー１７を前記ガイドレール１３ａ，１３ｂに沿って左右に動かすことにより、前記スクリーン１５が前記巻取軸１６に巻き取られたり該巻取軸１６から引き出されたりして開閉されるようになっている。
【０００３】
前記巻取軸１６は、内蔵するコイルスプリングの捻り復元力をスクリーンの巻き取りのための駆動源とするもので、このコイルスプリングの他に、スクリーンを巻き取る際に該巻取軸が高速で回転してスクリーンが急激に巻き取られるのを防止するためのオイルダンパーを有している。
【０００４】
図４及び図５には、巻取式スクリーン装置に使用される従来のスクリーン巻取装置の構成が示されている。このスクリーン巻取装置は、巻取ボックス１２内に回転自在に配設された巻取軸１６の内部に、前記コイルスプリング４０とオイルダンパー４１とが配設されると共に、コイルスプリング４０の内部を貫通する金属製のスプリング軸４２が、巻取軸１６に対して回転方向には相互に係止し合わないように配設されている。
【０００５】
前記スプリング軸４２の上端４２ａは、前記巻取軸１６から上方に延出して巻取ボックス１２の上端部に固定的に係止され、該スプリング軸４２の下端は、前記コイルスプリング４０から下方に延出している。そして、前記コイルスプリング４０の上端がこのスプリング軸４２にねじ４４で固定され、コイルスプリング４０の下端は、スプリング受け４３を介して前記巻取軸１６に連結されている。
【０００６】
また、前記オイルダンパー４１は、例えば特許文献１に開示されているような構成を有するもので、粘性流体を用いたダンパー機構の介在によりスクリーン巻取時の相互回転が制限される第１ダンパー部材４１ａと第２ダンパー部材４１ｂとを有し、前記第１ダンパー部材４１ａが前記スプリング軸４２の下端部にねじ４５で固定的に連結され、前記第２ダンパー部材４１ｂが前記巻取軸１６に固定的に連結されている。
【０００７】
前記巻取装置において、スクリーン１５が巻取軸１６に完全に巻き取られている状態から該スクリーン１５を引き出すと、前記巻取軸１６が回転してコイルスプリング４０が捻られ、エネルギーが蓄えられる。
そして、網戸を開放するため前記スクリーン１５を巻取軸１６に巻き取るときは、前記コイルスプリング４０の捻り復元力により巻取軸１６が駆動、回転され、自動的にスクリーン１５が巻き取られる。このとき、前記オイルダンパー４１で巻取軸１６の回転速度が制限され、スクリーン１５が高速で巻き取られるのが防止される。
【先行技術文献】
【特許文献】
【０００８】
【特許文献１】特開２００３−１０６０７６号公報
【発明の概要】
【発明が解決しようとする課題】
【０００９】
前記従来の巻取装置は、巻取軸１６の内部に金属製のスプリング軸４２を、コイルスプリング４０を貫通して外部に延出するように配設し、このスプリング軸４２の先端にオイルダンパー４１を取り付けている。このため、コイルスプリング４０より長さの長い前記スプリング軸４２を必要とし、それが金属製であることも相俟って、コストが高くなると共に巻取軸の重量が大きくなるという問題があった。
【００１０】
また、前記コイルスプリング４０とスプリング軸４２とをセットにして規格化し、これにオイルダンパー４１を加えるように設定した場合に、オイルダンパー４１があるセットとないセットとで同じスプリング軸４２を使用することになるため、オイルダンパー４１がないセットにおいて長いスプリング軸４２の使用が無駄を生むという問題もあった。このような問題を回避するためにオイルダンパー４１があるセットとないセットとで異なる長さのスプリング軸を使用するように設定すると、巻取装置のサイズ等に合わせて何種類ものセットを用意しなければならなくなる。
【００１１】
そこで本発明の目的は、オイルダンパーをコイルスプリングのスプリング軸と切り離して設置することにより、長さの長いスプリング軸を不要にして、部品を規格化した場合の無駄をなくし、スクリーン巻取装置を低コストで合理的な設計構造とすることにある。
【課題を解決するための手段】
【００１２】
前記目的を達成するため、本発明は、第１端と反対側の第２端とを有する巻取ボックスの内部に、コイルスプリングを内蔵する巻取軸が、両端の支持部材を軸受部材に支持させて回転自在に収容され、該巻取軸にスクリーンの一端が連結され、該スクリーンを引き出したときの前記巻取軸の回転で前記コイルスプリングが捻られ、該コイルスプリングの捻り復元力により前記巻取軸が回転してスクリーンが巻き取られるように構成されたスクリーン巻取装置において、前記巻取軸の内部には、前記コイルスプリングと、前記スクリーンを巻き取る際の該巻取軸の回転速度を制限するオイルダンパーとが配設され、
前記コイルスプリングの一端は、前記巻取ボックスの第１端側の軸受部材に対し、巻取軸の第１端側の支持部材の孔を貫通させたスプリング軸を介して、上記支持部材の下端部近くで固定的に連結され、内部にスプリング軸を貫通させることなく他端がスプリング受けを介して前記巻取軸に固定的に連結され、前記オイルダンパーは、粘性流体を用いたダンパー機構の介在によりスクリーン巻取時の相互回転が制限される第１ダンパー部材と第２ダンパー部材とを有し、第１ダンパー部材が前記巻取ボックスの第２端側に固定的に連結され、第２ダンパー部材が前記巻取軸に固定的に連結されていることを特徴とするものである。
【発明の効果】
【００１５】
本発明のスクリーン巻取装置は、オイルダンパーをコイルスプリングのスプリング軸と切り離し、巻取ボックスの第２端側に連結するようにしたので、従来のようなコイルスプリングを貫通して延びる長い金属製のスプリング軸が不要である。この結果、コストダウンを図ることができるだけでなく、前記コイルスプリングとスプリング軸とをセットにして規格化し、これにオイルダンパーを加えるように設定した場合に、オイルダンパーがないセットで金属製の長いスプリング軸を使用しなければならないといった無駄も完全になくすことができ、更に、オイルダンパーがあるセットとないセットとで異なる長さのスプリング軸を使用すべく何種類ものセットを用意する必要もなくなる。
【図面の簡単な説明】
【００１６】
【図１】本発明に係るスクリーン巻取装置を備えた巻取式スクリーン装置の斜視図である。
【図２】図１におけるスクリーン巻取装置の部分を一部の部材を省略して示す斜視図である。
【図３】図２を巻取軸の軸線に沿って破断した断面図である。
【図４】従来のスクリーン巻取装置を一部の部材を省略して示す斜視図である。
【図５】図４を巻取軸の軸線に沿って破断した断面図である。
【発明を実施するための形態】
【００１７】
図１は本発明に係るスクリーン巻取装置１１を備えた巻取式スクリーン装置１０を示すもので、このスクリーン装置１０は、横開き式の防虫網戸として構成されている。
【００１８】
前記スクリーン装置１０は、縦向きに配置された巻取ボックス１２と、該巻取ボックス１２の上端及び下端からそれぞれ水平に延びる上側及び下側のガイドレール１３ａ，１３ｂと、該上側及び下側のガイドレール１３ａ，１３ｂの先端部間に縦向きに取り付けられた受枠１４とを有し、前記巻取ボックス１２の内部に、スクリーン（ネット）１５を巻き取るための巻取軸１６が軸線Ｌを鉛直に向けた姿勢で縦向きに収容され、該巻取軸１６に前記スクリーン１５の一端が連結され、該スクリーン１５の他端（先端）にスライドバー１７が取り付けられている。
【００１９】
前記スライドバー１７及びスクリーン１５の上端及び下端は、前記上側及び下側のガイドレール１３ａ，１３ｂに形成されたガイド溝にそれぞれ嵌合あるいは係合し、前記スライドバー１７を上下のガイドレール１３ａ，１３ｂに沿って図１の左方向に動かすと、スクリーン１５が上下のガイドレール１３ａ，１３ｂに沿って巻取ボックス１２内の巻取軸１６から引き出され、前記スライドバー１７を上下のガイドレール１３ａ，１３ｂに沿って図１の右方向に動かすと、スクリーン１５が上下のガイドレール１３ａ，１３ｂに沿って巻取ボックス１２内の巻取軸１６に巻き取られるようになっている。
【００２０】
前記スクリーン１５が最大限引き出されてスクリーン装置１０が網戸としての使用状態にあるとき、前記スライドバー１７は前記受枠１４に当接し、係止金具で該受枠１４に係止可能である。
【００２１】
前記巻取軸１６は、図２及び図３に示すように、コイルスプリング１８が捻られたときの復元力、即ち捻り復元力を、スクリーン１５の巻き取りのための駆動源とするもので、円筒状の軸本体１９と、該軸本体１９の上端及び下端に取り付けられたそれぞれ円筒状をなす第１支持部材２０及び第２支持部材２１とからなり、該巻取軸１６の内部に、前記コイルスプリング１８と、スクリーン１５を巻き取る際に該巻取軸１６が高速で回転してスクリーン１５が急激に巻き取られるのを防止するためのオイルダンパー２２とが、軸線Ｌ方向の異なる位置、即ち上方側の位置と下方側の位置とを占めるように内蔵されている。
【００２２】
以下、図２及び図３に基づいて、前記巻取軸１６を有するスクリーン巻取装置１１の具体的構成について説明する。その説明中、必要に応じて前記巻取ボックス１２の長さ方向の一端（図の上端）を第１端１２ａと呼び、他端（図の下端）を第２端１２ｂと呼ぶこととする。
【００２３】
図２及び図３において、前記巻取ボックス１２の第１端１２ａ側と第２端１２ｂ側とには、合成樹脂製の第１軸受部材２４と第２軸受部材２５とが取り付けられ、これら軸受部材２４，２５に、前記巻取軸１６の一端（上端）と他端（下端）とがそれぞれ回転自在に支持されている。
【００２４】
前記第１軸受部材２４は、円柱状の軸受部２４ａを有し、該軸受部２４ａが、前記巻取軸１６の上端の第１支持部材２０に形成された円形の孔２６の上端部に相対的に回転自在なるように嵌合し、この軸受部２４ａで前記巻取軸１６の上端部が回転自在に支持されている。
前記第１支持部材２０の上端には、フランジ状をした端板部２０ａが形成され、該端板部２０ａの上面中央に前記孔２６が開口し、該孔２６内にスプリング軸２７が第１支持部材２０を貫通するように挿入されている。
【００２５】
また、前記第２軸受部材２５は、平面視長円形状をなしていて、その上面に平滑な軸受面２５ａを有し、この軸受面２５ａに、前記巻取軸１６の下端の第２支持部材２１に形成された円板状の当接部２１ａが当接し、摺動状態で回転するようになっている。
【００２６】
前記軸受面２５ａの中央には、円柱状の支持部２５ｂが形成されると共に、該支持部２５ｂの中央から上方に向けて延びる円柱状のガイド軸２８が設けられ、これらの支持部２５ｂとガイド軸２８とが、前記第２支持部材２１に形成された円形の凹部２１ｂとガイド孔２１ｃとに相互回転自在なるように嵌合し、これらの支持部２５ｂとガイド軸２８とで巻取軸１６がぶれないように支持されている。前記ガイド軸２８の長さは、前記巻取軸１６の長さの１／１０〜２／１０程度で、前記第２支持部材２１から上方に若干突出する程度である。該ガイド軸２８は、合成樹脂で前記支持部２５ｂと共に前記第２軸受部材２５と一体に形成されていることが望ましい。
【００２７】
前記コイルスプリング１８は、前記巻取軸１６の内部の上端寄りの位置即ち巻取ボックス１２の第１端１２ａ側寄りの位置に配設され、その一端即ち上端が、前記第１支持部材２０の下端部近くで前記スプリング軸２７の下端２７ａに嵌合して固定されている。その固定は、例えば、該コイルスプリング１８の内部に前記スプリング軸２７の下端２７ａを圧嵌する方法や、該コイルスプリング１８の端部を内側に折曲し、嵌合するスプリング軸２７の側面の係止孔に挿入、係止させる方法や、ねじ止め等の方法により行うことができる。
一方、前記コイルスプリング１８の他端即ち下端は、円筒形のスプリング受け２９を介して前記巻取軸１６の内周に固定的に連結されている。
【００２８】
前記スプリング軸２７の上端２７ｂは、角軸状に形成されて前記第１支持部材２０から上方に突出し、前記第１軸受部材２４の軸受部２４ａの下面に形成された角形の係止孔２４ｂ内に嵌合、係止することにより、前記巻取ボックス１２の第１端１２ａ側に固定的に連結されている。従って、前記コイルスプリング１８の一端は、前記スプリング軸２７を介して前記巻取ボックス１２の第１端１２ａ側に固定的に連結されていることになる。前記スプリング軸２７は、コストや製造の容易さ等を考慮すると合成樹脂製であることが望ましいが、金属製とすることもできる。
【００３０】
前記オイルダンパー２２は、前記巻取軸１６内の下端寄りの位置、即ち前記巻取ボックス１２の第２端１２ｂ寄りの位置に配設されている。このオイルダンパー２２は、円筒状をした第１ダンパー部材２２ａと第２ダンパー部材２２ｂとを有し、この第１ダンパー部材２２ａと第２ダンパー部材２２ｂとが、粘性流体を用いたダンパー機構（不図示）の介在によりスクリーン１５の巻取動作時の相対的な回転を制限されるように構成されたもので、前記第１ダンパー部材２２ａが、前記ガイド軸２８の上端部にねじ３３で固定されることで前記巻取ボックス１２の第２端１２ｂ側に固定的に連結され、前記第２ダンパー部材２２ｂが、前記巻取軸１６の内面に固定的に連結されている。
【００３１】
前記第１ダンパー部材２２ａと第２ダンパー部材２２ｂとは、一方向クラッチ機構（不図示）の介在により、スクリーン１５の巻取時にのみ前記ダンパー機構が働いて相対的な回転が制限され、スクリーン１５が巻取軸１６から引き出される際には、前記一方向クラッチ機構が空回りしてダンパー機能が発揮されないように構成されている。
なお、前記オイルダンパー２２の具体的な構成は、例えば特許文献１によって公知であるため、ここでのこれ以上の具体的な説明は省略する。
【００３２】
前記構成を有するスクリーン巻取装置１１において、スクリーン１５が巻取軸１６に完全に巻き取られている状態から、網戸を閉鎖するため前記スクリーン１５を引き出すと、前記巻取軸１６が正回転してコイルスプリング１８が捻られ、エネルギーが蓄えられる。このとき、前記オイルダンパー２２の第１ダンパー部材２２ａと第２ダンパー部材２２ｂとは互いに空回りし、ダンパー機能は発揮されない。
【００３３】
そして、網戸を開放するために前記スクリーン１５を巻取軸１６に巻き取るときは、前記コイルスプリング１８の捻り復元力により巻取軸１６が逆回転し、自動的にスクリーン１５が巻き取られる。このとき、前記オイルダンパー２２の第１ダンパー部材２２ａと第２ダンパー部材２２ｂとが、粘性流体を用いたダンパー機構の介在によりダンパー機能を発揮し、巻取軸１６の回転速度が制限されるため、スクリーン１５が高速で巻き取られるのが防止される。
【００３４】
前記スクリーン巻取装置１１は、オイルダンパー２２をコイルスプリング１８のスプリング軸２７から切り離し、巻取軸１６内の該コイルスプリング１８と反対側の位置に配設し、巻取ボックス１２の第２端１２ｂ側に形成されたガイド軸２８に連結するようにしたので、従来のようなコイルスプリング１８を貫通して延びる長い金属製のスプリング軸が不要である。
【００３５】
この結果、コストダウンが可能となるだけでなく、前記コイルスプリング１８とスプリング軸２７とをセットにして規格化し、これにオイルダンパー２２を加えるように設定した場合に、オイルダンパー２２がないセットで金属製の長いスプリング軸を使用しなければならないといった無駄も完全になくすことができ、更に、オイルダンパー２２があるセットとないセットとで異なる長さのスプリング軸を使用すべく何種類ものセットを用意する必要もなくなる。
【００３６】
なお、前記実施形態は、スクリーン１５を左右に移動させて開閉する横開き式のスクリーン装置に使用されるスクリーン巻取装置であるが、本発明は、スクリーン１５を上下方向に移動させて開閉する縦開き式のスクリーン装置に使用されるスクリーン巻取装置にも適用することができる。
【符号の説明】
【００３７】
１１      スクリーン巻取装置
１２      巻取ボックス
１２ａ      第１端
１２ｂ      第２端
１５      スクリーン
１６      巻取軸
１８      コイルスプリング
２２      オイルダンパー
２２ａ      第１ダンパー部材
２２ｂ      第２ダンパー部材
２４，２５      軸受部材
２７      スプリング軸
２８      ガイド軸
２９      スプリング受け
【図１】
0005591636.tif 000002
【図２】
0005591636.tif 000003
【図３】
0005591636.tif 000004
【図４】
0005591636.tif 000005
【図５】
0005591636.tif 000006